(57)【要約】  【課題】  付属品を交換しなければならない時に、梱包を解いて蓋を開けたりすることなく、付属品の出し入れが出来る梱包装置を提供する。  【解決手段】  例えば、下部箱体１に下部緩衝体３ａ、３ｂを配置して被梱包体２を支持し、上部箱体４を被梱包体２の上部から下部箱体１に被せ、上部箱体４と下部箱体１との接合にジョイント部材６を使用するようになっている梱包装置において、下部緩衝体３ａの一側に被梱包体２の付属品８を収納する為の収納部３ｃを形成するとともに、上部箱体４と下部箱体１の双方に、収納部３ｃへの付属品８の出し入れができる第一開口部４ｂと第二開口部１ａを設け、収納部３ｃへの付属品８の出し入れ終了後、開口部４ｂ、１ａに着脱自在なジョイント部材６を装着する構成とする。【選択図】図１
2007008482.tif 000002
【特許請求の範囲】
【請求項１】
被梱包体を緩衝する緩衝体を収容する下部箱体と、同下部箱体に対向して前記被梱包体の上部から前記下部箱体に被せられる上部箱体とからなり、同上部箱体に設けられた第一開口部と同下部箱体に設けられた第二開口部を着脱自在なジョイント部材で係合する梱包装置において、前記ジョイント部材に対向した緩衝体に付属品を収納する収納部を設けてなることを特徴とする梱包装置。
【発明の詳細な説明】
【技術分野】
【０００１】
本発明は電気製品等の被梱包体とともに梱包される付属品の出し入れが容易に行える梱包装置に関する。
【背景技術】
【０００２】
被梱包体を梱包するための梱包装置は、例えば、図３に示すように、段ボール製の下部箱体１と、この下部箱体１内にあって被梱包体２を緩衝する下部緩衝体３ａ、３ｂと、底面が開放され、上面に両開きの蓋４ａを有し、被梱包体２の上部から下部箱体１に被せられる段ボール製の上部箱体４と、上部箱体４の蓋４ａを閉じる前に被梱包体２の上部に配置される上部緩衝体（図示省略）と、両開きの蓋４ａを張り付ける為の粘着テープ５と、上部箱体４と下部箱体１との接合に用いる複数のジョイント部材６とで構成され、上部箱体４と下部箱体１の双方にジョイント部材６を装着する為の開口部４ｂと１ａが設けられた形態で、被梱包体２の付属品は所定の付属品箱２０に収められ、梱包装置の内部に配置されるようになっている。
【０００３】
ところで、付属品として収納される電源コードや取扱説明書等は、国外ではその仕向け地によって異なるため、一旦包装された後に仕向け地の変更が生じたような場合、前記梱包装置では付属品の交換が容易に行えない欠点があった。そこで、このような欠点を解消できるものとして、図４に示すような梱包装置（梱包箱）が公開されている。これは被梱包体１１とその付属品１２とを一つにまとめて梱包する為の梱包箱１０であって、被梱包体１１とその付属品１２を収納する為の蓋１３の他に、付属品１２を出し入れする為の蓋１４を設けた構成（例えば、特許文献１参照）である。
【０００４】
【特許文献１】実開平７ー６１２３号公報（第１頁、図１）
【発明の開示】
【発明が解決しようとする課題】
【０００５】
しかしながら、梱包装置を構成する箱体が図３に示すような下部箱体１と上部箱体４とからなるものに図４に示すような形態をそのまま応用することは困難で、特に、付属品収納部１５の形成に段ボール等を用いて枠組みを行うような構成では余分な手間や費用を要する等の問題がある。
したがって、本発明においては上記問題点に鑑み、既存の梱包部材の範囲内で付属品の出し入れが簡単にできる梱包装置を提供することを目的としている。
【課題を解決するための手段】
【０００６】
本発明は上記の課題を解決するためになされたものであり、被梱包体を緩衝する緩衝体を収容する下部箱体と、同下部箱体に対向して前記被梱包体の上部から前記下部箱体に被せられる上部箱体とからなり、同上部箱体に設けられた第一開口部と同下部箱体に設けられた第二開口部を着脱自在なジョイント部材で係合する梱包装置において、前記ジョイント部材に対向した緩衝体に付属品を収納する収納部を設けてなる構成とする。
【発明の効果】
【０００７】
本発明の構成からなる梱包装置であれば、ジョイント部材を装着するために設けられている上部箱体の第一開口部と下部箱体の第二開口部を通して、下部箱体内の緩衝体に設けられた収納部への付属品の出し入れができるので、倉庫等で荷積みされているような場合でもジョイント部材を外すだけで付属品の出し入れが容易に行えて便利であり、構成は既存の部材の一部を形状変更するだけで済むので新たな部材は必要とせず、コストアップにはならないという利点も有している。
【発明を実施するための最良の形態】
【０００８】
以下、本発明の実施の形態を、添付図面に基づいて説明する。
【実施例１】
【０００９】
図１は第１の実施の形態を示す梱包装置の構成斜視図で、該梱包装置は、段ボール製の下部箱体１と、この下部箱体１内の両側に配設されて被梱包体２を緩衝する下部緩衝体３ａ、３ｂと、底面が開放され、上面に両開きの蓋４ａ等を有し、被梱包体２の上部から下部箱体１に被せられる段ボール製の上部箱体４と、上部箱体４の蓋４ａを閉じる前に被梱包体２の上部に配置される上部緩衝体（図示省略）と、両開きの蓋４ａを張り付ける為の粘着テープ５と、上部箱体４と下部箱体１との接合に用いる複数のジョイント部材６と、仕向け地や定格電圧等が記されたラベル７と、付属品８を入れる付属品袋９とで構成されている。
【００１０】
下部緩衝体３ａ、３ｂの一方（３ａ）には付属品袋９に入った付属品８を収納する為の収納部３ｃを形成し、上部箱体４と下部箱体１の前後左右の同じ位置にジョイント部材６を装着する為の第一開口部４ｂと第二開口部１ａを設けた形態になっており、これら複数の第一開口部４ｂと第二開口部１ａの内、収納部３ｃの前方に位置する第一開口部４ｂと第二開口部１ａが収納部３ｃへの付属品８の出し入れ口として利用されるようになっている。
【００１１】
ジョイント部材６は合成樹脂でできており、その開口部後方の上下には図２の（ａ）、（ｂ）に示すような形態の回動部６ａがあって、この回動部６ａは上部箱体４に設けられた第一開口部４ｂと下部箱体１に設けられた第二開口部１ａに通された後、（ａ）図の状態から（ｂ）図に示すように、上下それぞれの方向に回動して下部箱体１の内側に圧接するようになっている。この時、上下箱体（４、１）の両開口部（４ｂ、１ａ）は回動部６ａによって塞がる構造になっている。また、この回動部６ａはその外部に一体に形成されているツマミ部（図示省略）の操作によって（ａ）図の状態に戻すことができ、両開口部（４ｂ、１ａ）から取り外しできるようになっている。
【００１２】
なお、収納部３ｃは図示の形状に限定するものではなく、下部緩衝体３ａの上面からも付属品８の収納ができるように収納部３ｃの上部を開放しておけば初期梱包時の付属品８の収納作業は楽になる。
【００１３】
本発明による梱包装置は以上説明したような構成になっているので、梱包終了後であっても、上部箱体４等を外さなくてもジョイント部材６を外すだけで収納部３ｃへの付属品８の出し入れができ、便利である。
【図面の簡単な説明】
【００１４】
【図１】本発明の第１の実施の形態を示す梱包装置の構成斜視図である。
【図２】本発明による梱包装置に用いるジョイント部材の拡大斜視図で、（ａ）は装着前、（ｂ）は装着後の形態を示したものである。
【図３】従来の梱包装置の第１の例を示す構成斜視図である。
【図４】従来の梱包装置の第２の例を示す外観斜視図である。
【符号の説明】
【００１５】
１  下部箱体
１ａ  第二開口部
２  被梱包体
３ａ、３ｂ  下部緩衝体
４  上部箱体
４ａ  蓋
４ｂ  第一開口部
５  粘着テープ
６  ジョイント部材
７  ラベル
８  付属品
９  付属品袋
【図１】
2007008482.tif 000003
【図２】
2007008482.tif 000004
【図３】
2007008482.tif 000005
【図４】
2007008482.tif 000006